(57)【要約】      （修正有）【課題】両手、又は片手が塞がっていた事を証明する事で、痴漢等の加害者として疑われた際に、冤罪を証明するシステムを提供する。【解決手段】ユーザーが、携帯端末１上の複数点を押した位置および時刻を自端末内あるいはサーバ上に記録する。痴漢事案に巻き込まれた際に、記録した履歴情報を呼び出し、当該事案の発生した時刻および時間内に片手又は両手がふさがっていた事を提示することで、痴漢容疑が冤罪である旨を立証可能とする。【選択図】図３
2019003590.tif 000002
【特許請求の範囲】
【請求項１】
ユーザーが所持する携帯端末で用いられるプログラムであって、
前記携帯端末のタッチパネルを、前記ユーザーが押したり離したりした日時、タッチパネル上を押したり離したりした位置座標を取得する機能を有する事と、
携帯端末のタッチパネルを前記ユーザーが押したり離したりした日時、タッチパネル上を押したり離したりした位置座標を記録する機能、前記ユーザーがタッチパネルを押したり離したりした日時、タッチパネル上を押したり離したりした位置座標、端末識別コードを所定のサーバーへ送信する機能のいずれか、又は両方を有する事と、
前記ユーザーがタッチパネルを押したり離したりした日時、タッチパネル上を押したり離したりした位置座標、サーバーに記録された情報を用いるの場合は端末識別コードも利用して、前記ユーザーの片手又は両手がふさがっていた事を、前記判定方法に基づいて、判定する判定手段と
を有するプログラム。
【請求項２】
ユーザーが所持する携帯端末で用いられるプログラムであって、
前記携帯端末のタッチパネル上に、前記ユーザーが押し離しをした位置を特定するためのボタンを有する、請求項１記載のプログラム。
【請求項３】
ユーザーが所持する携帯端末で用いられるプログラムであって、
前記携帯端末に取り付けられた片手では同時に押せない複数のボタンを、押したり離したりした日時を取得する機能を有する事と、
前記携帯端末に取り付けられた片手では同時に押せない複数のボタンを、前記ユーザーが押したり離したりした日時を記録する機能、及び端末識別コードを所定のサーバーへ送信する機能のいずれか、又は両方を有する事と、
前記ユーザーが複数のボタンの押したり離したりした記録情報、サーバーに記録された情報を用いる場合は端末識別コードも利用して、前記ユーザーの片手又は両手がふさがっていた事を、前記判定方法に基づいて、判定する判定手段と
を有するプログラム。
【請求項４】
請求項１又は関有効２又は請求項３により、記録された履歴を用いて、前記ユーザーの片手、又は両手がふさがっていた事を、前記判定方法に基づいて判定する判定手段を有するプログラム。
【発明の詳細な説明】
【技術分野】
【０００１】本発明は、痴漢冤罪を立証する為に、両手が塞がっている事を証明する手段に関する物である。
【技術背景】
【０００２】  近年、痴漢による犯罪件数は、高止まりの状態が続いており、痴漢犯罪は、被害者の心を大きく傷つける卑劣な犯罪と言える。その事から、この様な犯罪は、厳しく取り締まるべきであると考える。
一方、容疑者が無罪を主張する場合、各種証拠を提示する必要がある。
証拠となる物としては、監視カメラの記録映像、目撃者の証言、メール送信履歴から少なくとも片手が塞がっていた事を証明する、等が存在する。
【０００３】  しかしながら、監視カメラの映像記録は、自ら撮影する訳ではない為、記録を発見できるかどうかは運の要素が大きい。また、目撃者を見つける事も非常に困難な作業となる。メール送信履歴も、メールは常時送信している訳ではなく、片手が塞がっていた事の証明が出来る可能性は非常に小さかった。
【発明の概要】
【発明が解決しようとする課題】
【０００４】    両手、又は片手が塞がっていた事を証明する事で、痴漢等の加害者として疑われた際に、冤罪を証明するシステムを提供する事。
【発明が解決する為の手段】
【０００５】上記課題を解決する為に、ユーザーが所持する携帯端末の複数個所が押されている事を記録する事で、片手、又は両手が塞がっていた事を判定できる事をもっとも大きな特徴とする。
【発明の効果】
【０００６】本発明によれば、ユーザーが痴漢等の加害者として疑われた際に、痴漢冤罪の証拠を確保する事が可能となる。
【図面の簡単な説明】
【０００７】
【図１】一般的な携帯端末の形状を説明するための図である。
【図２】携帯端末を片手で保持する時の、通常の指の配置を説明した図である。
【図３】携帯端末のタッチパネル上を、２箇所以上同時に押す際の端末の持ち方例を示した説明図である。
【図４】記録される情報例である。
【図５】片手、又は両手が塞がっていた事を判定する方法を模式的に記述した図である。
【図６】携帯端末の機能ブロック図である。
【図７】携帯端末のボタンを押す場合の手の配置を説明した図である。
【発明を実施する為の形態】
【０００８】図１は、一般的に用いられている携帯端末の斜視図である。多くの携帯端末は、平面状の形状をしており、タッチパネルを備えている。
図２は、携帯端末１を片手で保持している時の通常の指の配置である。通常、端末１を手で持つ際、人差し指６、中指７、薬指８、小指９にて端末を保持し、親指１０にて画面３を操作する。
その為、タッチパネル３上の離れた２点を複数同時に押す場合、端末１の保持が困難になり、図３で示す様に両手を使わなければいけない。
【０００９】タッチパネル３上を触れると、タッチパネル３に触れたタッチパネル上の位置座標、日時を制御部１４へ出力する。制御部１４は、タッチパネルに触れたタッチパネル上の位置座標、日時を、記録部１６へ保存する。
制御部１４は、前記タッチパネルに触れた情報と端末識別コードを、通信部１５を介し、携帯電話通信回線を用いてサーバー１８へ記録しても良い。
【００１０】図４は、記録部１６、又はサーバー１８へ保存した情報の例である。
図５は、片手、又は両手が塞がっていた事を判定する方法を模式的に記述した図である。
片手、又は両手が塞がっていた事を証明する方法を、図４及び図５を用いて説明する。
図４の記録時刻  ２０１５／６／１０  ８：１３：１５に座標１を押し、２０１５／６／１０  ８：１６：３２に座標１を離している為、２０１５／６／１０  ８：１３：１５から２０１５／６／１０  ８：１６：３２は、座標１が押され続けた状態であり、片手はふさがっていたと判定できる。
また、２０１５／６／１０  ８：１３：１８に座標２を押し、２０１５／６／１０  ８：１６：１９に座標２を離している為、２０１５／６／１０  ８：１３：１８から２０１５／６／１０  ８：１６：１９の間は座標２は押され続けていた事となる。
よって、座標１及び座標２が、片手で同時に押せない位置関係にあれば、日時２０１５／６／１０  ８：１３：１８から２０１５／６／１０  ８：１６：１９の間は、つまり、図５で示した両手が塞がっていた期間は、両手で携帯端末１を触れていた事になり、同時に両手がふさがっていたと判定できる。
【００１１】尚、本例では、タッチパネルを押している判定は、、押した日時から離した日時までとしたが、タッチパネルが押されている日時が判定できれば、本例の方法に限らない。
【００１２】また、検出するタッチパネル上の座標数は、数が増える程、同時に押すことが困難になる為、より両手が塞がっていた事を判定する精度を高める事が出来る。
【００１３】また、図７で示した様に、携帯端末上の離れた複数のボタン１９及びボタン２０を押すことでも、前記判定方法を用いて、片手又は両手がふさがっている事も判定が出来る。
【産業上の利用可能性】
【００１４】痴漢冤罪の証明する手段を、容易に提供する事が可能となる。【００１５】ゲームプログラム、ニュース閲覧プログラム等へ本機能を組み込む事で、ユーザーは意識する事なく、片手、又は両手が塞がっていた証拠を記録をする事が出来る。
【符号の説明】１  携帯端末
２  携帯端末本体
３  タッチパネル
４  座標１
５  座標２
６  人差し指
７  中指
８  薬指
９  小指
１０  親指
１１  左手
１２  右手
１３  メモリ部
１４  制御部
１５  通信部
１６  記録部
１７  電源部
１８  サーバー
１９  ボタン
２０  ボタン
【図１】
2019003590.tif 000003
【図２】
2019003590.tif 000004
【図３】
2019003590.tif 000005
【図４】
2019003590.tif 000006
【図５】
2019003590.tif 000007
【図６】
2019003590.tif 000008
【図７】
2019003590.tif 000009